(57)【要約】【課題】取付工程時に光学素子の表面に損傷を与えないようにすること。【解決手段】クリップ部材５１が光学素子１と保持フレーム１７とを挟み込んで光学素子１を保持フレーム１７に固定する差し込み完了位置に差し込まれるまでは、保持フレーム１７の凸部２１がクリップ部材５１の係合孔５９以外の部分に当接していることにより、光学素子側当接片５３が光学素子１の表面１Ａに接触しない位置に位置し、クリップ部材５１の差し込み過程において、光学素子側当接片５３が光学素子１の表面１Ａを滑るがなく、クリップ部材５１が差し込み完了位置に差し込まれて凸部２１が係合孔５９に嵌り込むことにより、はじめて光学素子側当接片５３が光学素子１の表面１Ａに当接する【選択図】  図２
2008139443.tif 000002
【特許請求の範囲】
【請求項１】
光学素子と保持部材との重ね合わせ部に、当該重ね合わせ部の外側から係止部材が差し込まれ、差し込み完了位置にある前記係止部材によって前記光学素子と前記保持部材とを挟み込むことにより、前記光学素子を前記保持部材に取り付ける光学素子取付構造であって、
前記係止部材は、光学素子側当接片と、前記光学素子の表面とは反対側の前記保持部材の裏面に当接する保持部材側当接片と、前記光学素子側当接片と前記保持部材側当接片とを互いに近付ける方向に付勢する付勢部位とを備えており、
前記保持部材は、前記重ね合わせ部より外側に位置して前記保持部材側当接片と対向する縁幅部を具備しており、
互いに対向する前記係止部材の光学素子側当接片と前記保持部材の縁幅部との一方に凸部が、他方に前記凸部を受入れ可能な凹部が形成され、
前記係止部材が前記保持部材の前記縁幅部を通過して前記差し込み完了位置に差し込まれるまでは、前記凸部が前記凹部以外の部分に当接していることにより、前記付勢部位による付勢力に抗して前記光学素子側当接片が前記光学素子の表面に接触しない位置に位置し、
前記係止部材が前記差し込み完了位置に差し込まれることにより、前記凸部が前記凹部に嵌り込み、当該嵌り込みにより、前記付勢部位による付勢力によって前記光学素子側当接片が前記保持部材側当接片に近付く方向に変位し、当該変位によって前記光学素子側当接片が前記光学素子の表面に当接するよう構成されていることを特徴とする光学素子取付構造。
【請求項２】
前記差し込み完了位置において、前記凸部と前記凹部とが前記係止部材の前記保持部材に対する差し込み方向に間隙を持つことなく逆止係合することにより、前記係止部材が前記保持部材に対して差し込み方向のがたつきを含むことなく前記保持部材に装着されることを特徴とする請求項１に記載の光学素子取付構造。
【請求項３】
前記差し込み完了位置において、前記凸部と前記凹部との逆止係合と、前記係止部材が前記保持部材の最外側部を跨ぐ部位において前記保持部材の最外側部に当接することにより、前記係止部材が前記保持部材に対して差し込み方向のがたつきを含むことなく前記保持部材に装着されることを特徴とする請求項２に記載の光学素子取付構造。
【請求項４】
前記係止部材は、前記光学素子側当接片と前記保持部材側当接片とが一対の脚片をなし、当該両者が前記付勢部位によって互いに接続されたばね性を有するＵ字状のクリップ部材であること特徴とする請求項１から３の何れか一項に記載の光学素子取付構造。
【発明の詳細な説明】
【技術分野】
【０００１】
この発明は、光学システムに用いられる光学素子取付構造に関し、特に、プロジェクタのミラー、偏向板等の光学素子の取付構造に関するものである。
【背景技術】
【０００２】
プロジェクタ等の光学システムにおいて、ミラー、偏向板等の板状の光学素子を保持フレーム等の保持部材に取り付ける取付構造として、光学素子の外縁部と保持部材との重ね合わせ部をばね性を有するコの字形のクリップによって挟み込むことにより、光学素子を保持部材に一体的に固定するもの（例えば、特許文献１）、光学素子の外縁部を保持部材に形成されたコの字形横断面形状の保持溝に入れ、保持溝の一方の内側壁面と光学素子の一方の面との間に弾性部材を配置し、光学素子の他方の面と保持溝の他方の内側壁面との間に楔部材を挿入することにより、前記弾性部材を挟んで光学素子の一方の面を保持溝の一方の内側壁面の側に押し付けることにより、光学素子を保持部材に一体的に固定するものがある（例えば、特許文献２）。
【特許文献１】特開平１１−２４２１８６号公報
【特許文献２】特開２００２−９０８７６号公報
【発明の開示】
【発明が解決しようとする課題】
【０００３】
ところで、上述したような従来の光学素子取付構造では、取付工程時に、クリップ、あるいは楔部材を、光学素子の表面を滑らせて所定位置まで押し込むため、光学素子の表面を傷付けたり、光学素子表面のコート膜を傷付け剥がしたりする不具合がある。
【０００４】
これらの損傷、損傷に伴う腐食は、光学システムの使用過程で、光学素子の光学的作用領域にまで成長することがあり、光学システムの光学性能を劣化させる原因になる。
【０００５】
この発明は、従来の光学素子取付構造に於ける上述の如き問題点を解消するためになされたもので、取付工程時に光学素子の表面に損傷を与えることがなく、光学システムの光学性能を安定保証する光学素子取付構造を提供することを目的としている。
【課題を解決するための手段】
【０００６】
この発明による光学素子取付構造は、光学素子と保持部材との重ね合わせ部に、当該重ね合わせ部の外側から係止部材が差し込まれ、差し込み完了位置にある前記係止部材によって前記光学素子と前記保持部材とを挟み込むことにより、前記光学素子を前記保持部材に取り付ける光学素子取付構造であって、前記係止部材は、光学素子側当接片と、前記光学素子の表面とは反対側の前記保持部材の裏面に当接する保持部材側当接片と、前記光学素子側当接片と前記保持部材側当接片とを互いに近付ける方向に付勢する付勢部位とを備えており、前記保持部材は、前記重ね合わせ部より外側に位置して前記保持部材側当接片と対向する縁幅部を具備しており、互いに対向する前記係止部材の光学素子側当接片と前記保持部材の縁幅部との一方に凸部が、他方に前記凸部を受入れ可能な凹部が形成され、前記係止部材が前記保持部材の前記縁幅部を通過して前記差し込み完了位置に差し込まれるまでは、前記凸部が前記凹部以外の部分に当接していることにより、前記付勢部位による付勢力に抗して前記光学素子側当接片が前記光学素子の表面に接触しない位置に位置し、前記係止部材が前記差し込み完了位置に差し込まれることにより、前記凸部が前記凹部に嵌り込み、当該嵌り込みにより、前記付勢部位による付勢力によって前記光学素子側当接片が前記保持部材側当接片に近付く方向に変位し、当該変位によって前記光学素子側当接片が前記光学素子の表面に当接するよう構成されている。
【０００７】
この発明による光学素子取付構造は、より好ましくは、前記差し込み完了位置において、前記凸部と前記凹部とが前記係止部材の前記保持部材に対する差し込み方向に間隙を持つことなく逆止係合することにより、あるいは、前記凸部と前記凹部との逆止係合と、前記係止部材が前記保持部材の最外側部を跨ぐ部位において前記保持部材の最外側部に当接することとにより、前記係止部材が前記保持部材に対して差し込み方向のがたつきを含むことなく前記保持部材に装着される。
【０００８】
この発明による光学素子取付構造は、好ましくは、前記係止部材は、前記光学素子側当接片と前記保持部材側当接片とが一対の脚片をなし、当該両者が前記付勢部位によって互いに接続されたばね性を有するＵ字状のクリップ部材である。
【発明の効果】
【０００９】
この発明による光学素子取付構造によれば、係止部材が、光学素子と保持部材とを挟み込んで光学素子を保持部材に固定する差し込み完了位置に差し込まれるまでは、凸部が凹部以外の部分に当接していることによって光学素子側当接片が光学素子の表面に接触しない位置に位置していることにより、係止部材を差し込み完了位置に差し込む過程において、係止部材の光学素子側当接片が光学素子の表面を擦る（滑る）がなく、係止部材が差し込み完了位置に差し込まれて凸部が凹部に嵌り込むことにより、はじめて光学素子側当接片が光学素子の表面に当接し、この当接によって係止部材が光学素子を保持部材に固定する。
【００１０】
これにより、取付工程時に光学素子の表面に損傷を与えることなく係止部材によって光学素子を保持部材に固定することができ、光学システムの光学性能が安定保証される。
【００１１】
更に、好ましくは、差し込み完了位置において、係止部材が保持部材に対して差し込み方向のがたつきを含むことなく保持部材に装着されることにより、取付工程後の光学システムの搬送過程、使用過程でも、振動等によって係止部材の光学素子側当接片が光学素子の表面を擦ることがなく、光学システムの光学性能が安定保証される。
【発明を実施するための最良の形態】
【００１２】
この発明による光学素子取付構造の一つの実施形態を、図１〜図３を参照して説明する。
【００１３】
この実施形態は、光学システムにおけるミラー、偏向板等の板状の光学素子１を、図１にて符号１１により示されている保持部材に、固定状態に取り付ける光学素子取付構造である。
【００１４】
保持部材１１は、底板部１３と、底板部１３より立設された左右２本のコラム部１５を含む保持フレーム部１７とを有している。光学素子１は、左右２本のコラム部１５の各々上下２箇所において、同一構造のＵ字状のクリップ部材５１によって挟み込み式に保持部材１１に固定されている。
【００１５】
合計４箇所のクリップ部材５１による光学素子１の取付構造は、同一構造であり、その一つを、図２（ａ）〜（ｃ）を用いて詳細に説明する。
【００１６】
この取付構造は、図２（ａ）〜（ｃ）に示されているように、光学素子１と保持フレーム部１７との重ね合わせ部Ａ（図２（ｃ）参照）に、当該重ね合わせ部Ａの外側（図２で見て右側）からクリップ部材５１がコラム部１５の最外側部１５Ａを跨ぐようにして差し込まれる。
【００１７】
クリップ部材５１は、光学素子側当接片５３と、保持部材側当接片５５と、付勢部位５７とを有するものであり、光学素子側当接片５３と保持部材側当接片５５とが所定幅の一対の脚片をなし、所定幅の湾曲形状の付勢部位５７が光学素子側当接片５３と保持部材側当接片５５とを互いに接続し、当該両者を互いに近付ける方向に付勢するばね性を有するＵ字状に、金属板、プラスチック等によって、全体を一部品として構成されている。
【００１８】
なお、ここで云うＵ字状とは、Ｕ字に近似した形状、コの字形を含むものであり、光学素子側当接片５３と保持部材側当接片５５とを互いに近付けるばね性を発揮する形状であればよい。
【００１９】
図２（ｃ）に示されているように、差し込み完了位置にあるクリップ部材５１は、重ね合わせ部Ａにおいて、光学素子側当接片５３の先端部５３Ａが光学素子１の表面１Ａに当接し、保持部材側当接片５５のほぼ全体が光学素子１の表面１Ａとは反対側のコラム部１５の裏面を含む保持フレーム部１７の裏面（背面）１７Ａに当接する。そして、クリップ部材５１は、保持部材側当接片５５の先端部５３Ａ、保持部材側当接片５５が、付勢部位５７の付勢力（ばね力）によって各々、光学素子１の表面１Ａ、保持フレーム部１７の裏面１７Ａに押し付けられることにより、光学素子１と保持フレーム部１７とを挟み込こんで、光学素子１を保持フレーム部１７に一体的に取り付ける。
【００２０】
保持フレーム部１７は、重ね合わせ部Ａより外側に、重ね合わせ部Ａとコラム部１５の最外側部１５Ａとの間に、クリップ部材５１の保持部材側当接片５３と対向する縁幅部（縁代面部）１９を具備している。縁幅部１９は、この実施形態では、コラム部１５によって形成されている。
【００２１】
保持フレーム部１７の縁幅部１９には凸部２１が形成されている。凸部２１は、側面形状が不等辺台形状（平面形状は矩形）の突起で、縁幅部１９と一体形成されており、クリップ差し込み方向手前側（図２で見て右側）、つまり、最外側部１５Ａの側が緩やかな緩傾斜面２３、クリップ差し込み方向奥側（図２で見て左側）、つまり、重ね合わせ部Ａが垂直面に近い急傾斜面２５の逆止形状になっている。
【００２２】
クリップ部材５１の光学素子側当接片５３には、詳しくは、先端部５３Ａより付勢部位５７の側に、凸部２１を受入れ可能な凹部として、凸部２１の平面形状と同一（補形）の矩形の係合孔５９が開口形成されている。凸部２１と係合孔５９は、図２（ｃ）に示されているように、クリップ部材５１の差し込み完了位置において、互いに整合し、凸部２１が係合孔５９に嵌り込む。なお、凹部２１として、係合孔５９に代えて、クリップ部材５１の一部をたとえばプレスによって塑性変形させて凹状に形成したものを採用してもよい。
【００２３】
係合孔５９を有するクリップ部材５１は、プレス加工による打ち抜き曲げ加工、プラスチック成形による一体成形により、安価に製造することができる。
【００２４】
なお、凸部２１の急傾斜面２５は、全体が垂直面、あるいは、図３に符号２５Ａにより示されているように、上側だけが案内傾斜面で、係合孔５９が嵌合する下側が垂直面になっていてもよい。また、急傾斜面２５は、図３に符号２５Ｂにより示されているように、上側が案内円弧面で、下側が垂直面に近い面であってもよい。さらに、図３に符号２５Ｃにより示されているように、上側が案内傾斜面で、下側が鋭角面になっていてもよい（急傾斜面２５の付け根の角度γが鈍角になっていてもよい）。
【００２５】
クリップ部材５１は、図２（ａ）に示されているように、重ね合わせ部Ａの外側（図２で見て右側）からクリップ部材５１がコラム部１５の最外側部１５Ａを跨ぐようにして、図２で見て左方向に差し込まれる。
【００２６】
クリップ部材５１が縁幅部１９を通過して図２（ｃ）に示されている差し込み完了位置に差し込まれるまでは、図２（ｂ）に示されているように、クリップ部材５１の光学素子側当接片５３の先端部５３Ａが凸部２１の緩傾斜面２３を滑って凸部２１の頂部２７に乗り上げ、凸部２１が光学素子側当接片５３の係合孔５９以外の部分（光学素子側当接片５３の先端部５３Ａ）に当接していることにより、光学素子側当接片５３は、付勢部位５７による付勢力に抗して光学素子１の表面１Ａより遠ざかった位置に変位している。
【００２７】
これにより、クリップ部材５１の差し込み過程においては、光学素子側当接片５３は、終始、光学素子１の表面１Ａより遠ざかって光学素子１の表面１Ａに接触しない位置に位置し、クリップ部材５１の差し込み過程において、光学素子側当接片５３が光学素子１の表面１Ａを滑ること、擦ることがない。
【００２８】
これにより、取付工程時に、光学素子１の表面１Ａに損傷を与えることがなく、光学システムの光学性能が安定保証される。
【００２９】
なお、保持部材側当接片５５は、クリップ部材５１の差し込み過程において、終始、保持フレーム部１７の裏面１７Ａに当接し、裏面１７Ａを滑る。保持フレーム部１７は、光学的なものでないから、裏面１７Ａに擦り傷が付いても、光学システムの光学性能を低下させることがなく、擦り傷が付いても、これは、微細なものであるから、保持フレーム部１７の機械的強度を低下させることはない。
【００３０】
そして、クリップ部材５１が、図２（ｃ）に示されているように、正規の差し込み完了位置に差し込まれると、係合孔５９と凸部２１とが整合して凸部２１が係合孔５９に嵌り込み、保持フレーム部１７に対して逆止係合する。この凸部２１と係合孔５９の嵌り込みにより、付勢部位５７による付勢力によって光学素子側当接片５３が保持部材側当接片５５に近付く方向に変位し、この変位によって光学素子側当接片５３の先端部５３Ａが光学素子１の表面１Ａに当接する。これにより、光学素子１がクリップ部材５１によって挟み込み式に保持部材１１に固定される。
【００３１】
図２（ａ）に示されているように、保持フレーム部１７の重ね合わせ部Ａには、雌ねじ孔３１が貫通形成されている。雌ねじ孔３１には調節雄ねじ部材３３がねじ係合している。調節雄ねじ部材３３は、光学素子１の裏面１Ｂに当接し、ねじ込み量に応じて保持フレーム部１７に対する光学素子１の厚さ方向の配置位置を調整できるようになっている。
【００３２】
ここで、この取付構造において、もう一つ、重要なことは、経時劣化がなく、光学システムの光学性能が、長期間に亘って安定保証されるために、取付工程後の光学システムの搬送過程、使用過程でも、振動等によってクリップ部材５１の光学素子側当接片５３の先端部５３Ａが光学素子１の表面１Ａを擦ることがないことである。
【００３３】
このことに対して、この実施形態では、図２（ｃ）に示されているように、凸部２１のクリップ差し込み方向の長さ寸法Ｌａと、係合孔５９のクリップ差し込み方向の長さ寸法Ｌｂとが、同一寸法になっている。
【００３４】
これにより、差し込み完了位置において、凸部２１と係合孔５９とがクリップ部材５１の保持フレーム部１７に対する差し込み方向に間隙を持つことなく逆止係合し、クリップ部材５１が保持フレーム部１７に対してクリップ差し込み方向のがたつきを含むことなく装着される。つまり、挟み込み完了状態において、クリップ部材５１が保持フレーム部１７に対してクリップ差し込み方向にがた付くことがない。
【００３５】
これにより、取付工程後の光学システムの搬送過程、使用過程時に、振動等によってクリップ部材５１の光学素子側当接片５３の先端部５３Ａが光学素子１の表面１Ａを擦ることがなくなるので、光学システムの光学性能が、長期間に亘って安定保証される。
【００３６】
図４は、挟み込み完了状態において、クリップ部材５１が保持フレーム部１７に対してクリップ差し込み方向にがた付くことがない構造の多の実施形態を示している。
【００３７】
この実施形態では、コラム部１５の最外側部１５Ａと凸部２１の急傾斜面２５とのクリップ差し込み方向の長さ寸法Ｌｃと、クリップ部材５１の付勢部位５７の最奥部５７Ａと係合孔５９のクリップ差し込み方向の前側辺５９Ａとのクリップ差し込み方向の長さ寸法Ｌｄとが、同一寸法になっている。
【００３８】
これにより、差し込み完了位置において、クリップ部材５１がコラム部１５の最外側部１５Ａを跨ぐ部位において、コラム部１５の最外側部１５Ａとクリップ部材５１の付勢部位５７の最奥部５７Ａとが当接し、この当接と、凸部２１と係合孔５９との逆止係合（凸部２１の急傾斜面２５と係合孔５９の前側辺５９Ａとの当接）により、クリップ部材５１が保持フレーム部１７に対してクリップ差し込み方向のがたつきを含むことなく装着される。つまり、挟み込み完了状態において、クリップ部材５１が保持フレーム部１７に対してクリップ差し込み方向にがた付くことがない。
【００３９】
これにより、この実施形態でも、取付工程後の光学システムの搬送過程、使用過程時に、振動等によってクリップ部材５１の光学素子側当接片５３の先端部５３Ａが光学素子１の表面１Ａを擦ることがなくなるので、光学システムの光学性能が、長期間に亘って安定保証される。
【００４０】
なお、この実施形態では、係合孔５９のクリップ差し込み方向の長さ寸法（Ｌｂ）は、凸部２１のクリップ差し込み方向の長さ寸法（Ｌａ）より少し長くてよい。
【００４１】
また、図５は、他の実施形態として、コラム部１５の最外側部１５Ａに圧縮コイルばね３５が設けられ、圧縮コイルばね３５のばね力によって差し込み完了位置にあるクリップ部材５１を差し込み方向とは逆方向（図５で見て右方向）に付勢している。これにより、係合孔５９の前側辺５９Ａが凸部２１の急傾斜面２５に押し付けられ、クリップ部材５１が保持フレーム部１７に対してクリップ差し込み方向にがたつかないようなる。
【００４２】
これにより、この実施形態でも、取付工程後の光学システムの搬送過程、使用過程時に、振動等によってクリップ部材５１の光学素子側当接片５３の先端部５３Ａが光学素子１の表面１Ａを擦ることがなくなるので、光学システムの光学性能が、長期間に亘って安定保証される。
【００４３】
差し込み完了位置にあるクリップ部材５１の差し込み方向とは逆方向の付勢は、圧縮コイルばね３５によらず、図６に示されているように、クリップ部材５１の付勢部位５７に一体形成されたばね片６１により行うこともできる。
【００４４】
ばね片６１は、プレス加工では切り起こし加工（ルーバ加工）により、プラスチック成形では一体成形により形成することができる。
【００４５】
また、上述した実施形態では、凸部２１を保持フレーム部１７に設け、凹部である係合孔５９をクリップ部材５１に設けたが、この凸部と凹部は、保持フレーム部１７とクリップ部材５１とに、逆に配置することもできる。この逆配置の実施形態を、図７を参照して説明する。なお、図７において、図２に対応する部分は、図４〜図６と同様に、図１に付した符号と同一の符号を付けて、その説明を省略する。
【００４６】
この実施形態では、クリップ部材５１の光学素子側当接片５３の先端部５３Ａより付勢部位５７の側に、凸部として逆止係合片６３が一体形成されている。保持フレーム部１７の縁幅部１９には、逆止係合片６３を受入れる逆止形状の凹部３７が形成されている。
【００４７】
この実施形態では、クリップ部材５１が縁幅部１９を通過して差し込み完了位置に差し込まれるまでは、クリップ部材５１の光学素子側当接片５３にある逆止係合片６３が縁幅部１９上にあり、光学素子側当接片５３が保持フレーム部１７の凹部３７以外の部分に当接していることにより、光学素子側当接片５３は、付勢部位５７による付勢力に抗して光学素子１の表面１Ａより遠ざかった位置に変位する。
【００４８】
これにより、この実施形態でも、クリップ部材５１の差し込み過程においては、光学素子側当接片５３は、終始、光学素子１の表面１Ａより遠ざかって光学素子１の表面１Ａに接触しない位置に位置し、クリップ部材５１の差し込み過程において、光学素子側当接片５３が光学素子１の表面１Ａを滑ること、擦ることがない。
【００４９】
これにより、取付工程時に、光学素子１の表面１Ａに損傷を与えることがなく、光学システムの光学性能が安定保証される。
【００５０】
そして、クリップ部材５１が正規の差し込み完了位置に差し込まれると、逆止係合片６３と凹部３７とが整合して逆止係合片６３が凹部３７に嵌り込み、保持フレーム部１７に対して逆止係合する。この逆止係合片６３と凹部３７の嵌り込みにより、付勢部位５７による付勢力によって光学素子側当接片５３が保持部材側当接片５５に近付く方向に変位し、この変位によって光学素子側当接片５３の先端部５３Ａが光学素子１の表面１Ａに当接する。これにより、光学素子１がクリップ部材５１によって挟み込み式に保持部材１１に固定される。
【００５１】
逆止係合片６３は、プレス加工では切り起こし加工（ルーバ加工）により、プラスチック成形では一体成形により形成することができる。
【００５２】
この実施形態においては、挟み込み完了状態において、クリップ部材５１が保持フレーム部１７に対してクリップ差し込み方向にがた付くことがないようにする構造は、図４の実施形態と同等と構成になっているが、図２、図５、図６に示されている実施形態と同等の構成にすることもできる。
【図面の簡単な説明】
【００５３】
【図１】この発明による光学素子取付構造の一つの実施形態を示す全体斜視図である。
【図２】（ａ）〜（ｃ）は、この発明による光学素子取付構造の一つの実施形態の取付工程を示す要部の拡大図である。
【図３】この発明による光学素子取付構造の凸の形状を示す拡大図である。
【図４】この発明による光学素子取付構造の他の実施形態の要部示す拡大図である。
【図５】この発明による光学素子取付構造の他の実施形態の要部示す拡大図である。
【図６】この発明による光学素子取付構造の他の実施形態の要部示す拡大図である。
【図７】この発明による光学素子取付構造の他の実施形態の要部示す拡大図である。
【符号の説明】
【００５４】
１  光学素子
１１  保持部材
１３  底板部
１５  コラム部
１７  保持フレーム部
１９  縁幅部
２１  凸部
２３  緩傾斜面
２５  急傾斜面
２７  頂部
３１  雌ねじ孔
３３  調節雄ねじ部材
３５  圧縮コイルばね
３７  凹部
５１  クリップ部材
５３  光学素子側当接片
５５  保持部材側当接片
５７  付勢部位
５９  係合孔
６１  ばね片
６３  逆止係合片
Ａ  重ね合わせ部
【図１】
2008139443.tif 000003
【図２】
2008139443.tif 000004
【図３】
2008139443.tif 000005
【図４】
2008139443.tif 000006
【図５】
2008139443.tif 000007
【図６】
2008139443.tif 000008
【図７】
2008139443.tif 000009